(57)【特許請求の範囲】
【請求項１】
少なくとも映像信号と第１チャネル、第２チャネル及び第３チャネルの各音声信号とが記録され、前記第１チャネルの音声信号は演奏情報からなり、前記第２チャネルの音声信号は歌唱情報及び演奏情報からなり、前記第３チャネルの音声信号はメロディライン情報および演奏情報からなる光ディスクを再生する光ディスク再生装置において、
外部から音声信号を入力する音声入力手段と、
この音声入力手段より入力された音声信号のレベルと第１のしきい値およびこの第１のしきい値より大きい第２のしきい値との大小関係を判定する音声レベル判定手段と、
この音声レベル判定手段によって前記入力音声信号レベルが前記第２のしきい値以上であることが判定された期間は前記第１チャネルを選択し、前記入力音声信号レベルが前記第１のしきい値以上でかつ前記第２のしきい値未満であることが判定された期間は前記第３チャネルを選択し、前記入力音声信号レベルが前記第１のしきい値未満であることが判定された期間は前記第２チャネルを選択する音声チャネル選択手段と、
この音声チャネル選択手段にて選択された音声チャネルの再生信号と前記音声入力手段より入力された音声信号とを合成して出力する音声合成出力手段とを具備することを特徴とする光ディスク再生装置。
【請求項２】
少なくとも映像信号と第１チャネル、第２チャネル及び第３チャネルの各音声信号とが記録され、前記第１チャネルの音声信号は演奏情報からなり、前記第２チャネルの音声信号は歌唱情報及び演奏情報からなり、前記第３チャネルの音声信号はメロディライン情報および演奏情報からなる光ディスクを再生する光ディスク再生装置において、
外部から音声信号を入力する音声入力手段と、
この音声入力手段より入力された音声信号のレベルとしきい値との大小関係を判定する音声レベル判定手段と、
この音声レベル判定手段によって前記入力音声信号レベルが前記しきい値未満であることが判定された期間と前記歌唱情報に基づく歌唱音声の発生期間との重なり時間と、第１の所定時間およびこの第１の所定時間より長い第２の所定時間との長短関係を判定する時間判定手段と、
この時間判定手段により前記重なり時間が前記第１の所定時間より短いことが判定された場合は前記第１チャネルを選択し、前記重なり時間が前記第１の所定時間より長くかつ前記第２の所定時間より短いことが判定された場合は前記第３チャネルを選択し、前記重なり時間が前記第２の所定時間より長いことが判定された場合は前記第２チャネルを選択する音声チャネル選択手段と、
この音声チャネル選択手段にて選択された音声チャネルの再生信号と前記音声入力手段より入力された音声信号とを合成して出力する音声合成出力手段とを具備することを特徴とする光ディスク再生装置。
【発明の詳細な説明】
【０００１】
【産業上の利用分野】
本発明は、映像信号及び音声信号を記録した光ディスクを再生する光ディスク再生装置に関し、特にマクロフォン等の音声入力装置より入力した音声と再生音声とを合成して出力可能な光ディスク再生装置に関する。
【０００２】
【従来の技術】
近年、ビデオデータ及びオーディオデータを記録した光ディスクを再生する光ディスク再生装置が、例えばカラオケ用の再生システム等として汎用化されている。図６は従来のカラオケ再生システムの構成を示すブロック図である。このカラオケ再生システムにおいて、ピックアップ１２によって光ディスク１１から読み取られた信号は同期復調部１３にてデータの同期がとられ復調される。復調データはデータ分離部１４でビデオデータとオーディオデータに分離される。分離出力されたビデオデータはビデオデコード部１５にてデコード後、ビデオ出力部１６を通して出力される。一方、オーディオデータはオーディオデコード部１７にてデコード後、マイクロフォン等の音声入力装置１８より入力された音声信号とミキシング出力部１９にてミキシングされて出力される。
【０００３】
ところで、カラオケディスクに記録されているオーディオデータは、通常、ボーカル音声を除いたカラオケ演奏データのみである。しかし、使用者がある曲をこれからマスターしようとする場合等においては、手本となるボーカル音声も聞きたいという要望がある。そこで、カラオケ演奏データのみからなるオーディオチャネルとボーカル付きカラオケ演奏データからなるオーディオチャネルをディスクに記録しておき、使用者が自由に再生すべきオーディオチャネルを選択できるような方式が考えられる。しかしこの方式では、曲の途中で使用者自身がチャネルを切り換える操作を行わねばならず、操作が面倒であった。
【０００４】
【発明が解決しようとする課題】
本発明はこのような課題を解決するためのもので、使用者の歌唱を効果的に補助することのできる光ディスク再生装置の提供を目的としている。
【０００５】
【課題を解決するための手段】
本発明（請求項１）は上記した目的を達成するために、少なくとも映像信号と第１チャネル、第２チャネル及び第３チャネルの各音声信号とが記録され、第１チャネルの音声信号は演奏情報からなり、第２チャネルの音声信号は歌唱情報及び演奏情報からなり、第３チャネルの音声信号はメロディライン情報および演奏情報からなる光ディスクを再生する光ディスク再生装置において、外部から音声信号を入力する音声入力手段と、この音声入力手段より入力された音声信号のレベルと第１のしきい値およびこの第１のしきい値より大きい第２のしきい値との大小関係を判定する音声レベル判定手段と、この音声レベル判定手段によって入力音声信号レベルが第２のしきい値以上であることが判定された期間は第１チャネルを選択し、入力音声信号レベルが第１のしきい値以上でかつ第２のしきい値未満であることが判定された期間は第３チャネルを選択し、入力音声信号レベルが第１のしきい値未満であることが判定された期間は第２チャネルを選択する音声チャネル選択手段と、この音声チャネル選択手段にて選択された音声チャネルの再生信号と音声入力手段より入力された音声信号とを合成して出力する音声合成出力手段とを具備してなる。
【０００６】
本発明（請求項２）は上記した目的を達成するために、少なくとも映像信号と第１チャネル、第２チャネル及び第３チャネルの各音声信号とが記録され、第１チャネルの音声信号は演奏情報からなり、第２チャネルの音声信号は歌唱情報及び演奏情報からなり、第３チャネルの音声信号はメロディライン情報および演奏情報からなる光ディスクを再生する光ディスク再生装置において、外部から音声信号を入力する音声入力手段と、この音声入力手段より入力された音声信号のレベルとしきい値との大小関係を判定する音声レベル判定手段と、この音声レベル判定手段によって入力音声信号レベルがしきい値未満であることが判定された期間と歌唱情報に基づく歌唱音声の発生期間との重なり時間と、第１の所定時間およびこの第１の所定時間より長い第２の所定時間との長短関係を判定する時間判定手段と、この時間判定手段により重なり時間が第１の所定時間より短いことが判定された場合は第１チャネルを選択し、重なり時間が第１の所定時間より長くかつ第２の所定時間より短いことが判定された場合は第３チャネルを選択し、重なり時間が第２の所定時間より長いことが判定された場合は第２チャネルを選択する音声チャネル選択手段と、この音声チャネル選択手段にて選択された音声チャネルの再生信号と音声入力手段より入力された音声信号とを合成して出力する音声合成出力手段とを具備してなる。
【００１０】
【作用】
本発明（請求項１）においては、入力音声信号のレベルが最も低い範囲（第１のしきい値未満）にある場合には、歌唱情報＋演奏情報（第２チャネル）を選択し、音声信号のレベルが次に低い範囲（第１のしきい値以上かつ第２のしきい値未満）である場合には、メロディライン情報＋演奏情報（第３チャネル）を選択することで、使用者の歌唱を二種類の方法で効果的に補助することができる。
【００１１】
本発明（請求項２）においては、入力音声信号レベルがしきい値未満であることが判定された期間と歌唱情報に基づく歌唱音声の発生期間との重なり時間が最も長い範囲（第２の所定時間より長い）にある場合には演奏情報（第１チャネル）を選択し、重なり時間が次に長い範囲（第１の所定時間より長くかつ第２の所定時間より短い）である場合には、メロディライン情報＋演奏情報（第３チャネル）を選択することで、使用者の歌唱を二段階のレベルで効果的に補助することができる。
【００１４】
【実施例】
以下、本発明の実施例を図面に基づいて説明する。
【００１５】
図１は本発明の第１実施例の光ディスク再生装置としてのカラオケ再生システムの構成を示すブロック図である。
【００１６】
このカラオケ再生システムによって再生される光ディスク２１には複数（この例では２つ）チャネルのオーディオデータが記録されている。例えば、第１のオーディオチャネルデータは通常のカラオケ演奏データであり、第２のオーディオチャネルデータはボーカル付きカラオケ演奏データ（ボーカル音声データ＋カラオケ演奏データ）である。
【００１７】
本実施例のカラオケ再生システムは、ピックアップ２２、同期復調部２３、データ分離部２４、ビデオデコード部２５、ビデオ出力部２６、オーディオデコード部２７、オーディオチャネル選択部２８、オーディオミキシング出力部２９、音声入力装置３０、スイッチＯＮ／ＯＦＦ判別部３１、及びレベル判定部３２を有して構成される。
【００１８】
以上の構成において、スイッチＯＮ／ＯＦＦ判別部３１は、マイクロフォン等の音声入力装置３０における入力スイッチのＯＮ／ＯＦＦ状態を判別するものであり、その判別結果はオーディオチャネル選択部２８に出力される。レベル判定部３２は、音声入力装置３０より入力された音声信号のレベルをしきい値と比較し、入力音声信号レベルがしきい値以上であるか否かを示す信号をオーディオチャネル選択部２８に出力する。オーディオチャネル選択部２８は、スイッチＯＮ／ＯＦＦ判別部３１及びレベル判定部３２の出力信号に基づき再生オーディオチャネルを選択する処理を行う部分である。
【００１９】
次にこのシステムの動作を説明する。
【００２０】
ピックアップ２２によって光ディスク２１から読み取られた信号は同期復調部２３にてデータの同期がとられ復調される。復調データはデータ分離部２４でビデオデータとオーディオデータに分離される。データ分離部２４より分離出力されたビデオデータはビデオデコード部２５にてデコード後、ビデオ出力部２６を通して出力される。一方、データ分離部２４より分離出力された複数チャネル分のオーディオデータ（カラオケ演奏データＡ，ボーカル付きカラオケ演奏データＢ）は、オーディオデコード部２７にてそれぞれデコード後、オーディオチャネル選択部２８を介してオーディオミキシング出力部２９に供給され、このミキシングオーディオ出力部２９にて、音声入力装置３０より入力された使用者の音声信号とミキシングして出力される。
【００２１】
スイッチＯＮ／ＯＦＦ判別部３１は、音声入力装置３０に設けられた、使用者によって切替可能なＯＮ／ＯＦＦスイッチの状態を判別し、その結果をオーディオチャネル選択部２８に出力する。使用者は、カラオケを楽しむ際に上記ＯＮ／ＯＦＦスイッチをＯＮ状態にして音声入力装置３０より音声を入力する。音声入力装置３０より入力された音声信号は上記オーディオミキシング出力部２９に出力されると共にレベル判定部３２に送られる。レベル判定部３２は、入力音声信号のレベルがしきい値以上であるかどうかを判定し、その結果をオーディオチャネル選択部２８に出力する。
【００２２】
そしてオーディオチャネル選択部２８は、スイッチＯＮ／ＯＦＦ判別部３１及びレベル判定部３２の各出力に基づき次のように再生オーディオチャネルの選択を行う。
【００２３】
スイッチＯＮ／ＯＦＦ判別部３１によってスイッチＯＦＦ状態が判別された場合、オーディオチャネル選択部２８はオーディオデータＢ（ボーカル付きカラオケ演奏データ）を選択する。この時、当然ながら使用者から音声入力はなく、オーディオミキシング出力部２９からはディスク２１から再生されたボーカル付きカラオケ演奏のみが音声出力される。
【００２４】
スイッチＯＮ／ＯＦＦ判別部３１によってスイッチＯＮ状態が判別された場合、オーディオチャネル選択部２８はレベル判定部３２の判定結果に基づき次のように再生オーディオチャネルを選択する。即ち、オーディオチャネル選択部２８は、入力音声信号レベルがしきい値以上である場合にオーディオデータＡ（カラオケ演奏データ）を選択し、通常のカラオケ再生動作、つまりカラオケ演奏データと入力音声信号とをオーディオミキシング出力部２９にてミキシングして出力せしめる。また、入力音声信号レベルがしきい値未満である場合はスイッチＯＦＦ時と同様、オーディオチャネル選択部２８はオーディオデータＢを選択し、オーディオミキシング出力部２９よりボーカル付きカラオケ演奏を音声出力させる。
【００２５】
ここで、上記のしきい値を、使用者が歌うことを実質的に断念してしまったような場合（小声で歌い始めたり、沈黙してしまった場合等）にオーディオチャネル選択部２８にてオーディオデータＢ（ボーカル付きカラオケ演奏データ）が選択されるような値に設定しておけば、使用者に対しその手本となるボーカル音声を最適なタイミングで聴取せしめて使用者の歌唱を補助することができる。
【００２６】
上記の動作では、光ディスクに第１のオーディオチャネルデータとしてカラオケ演奏データを記録し、第２のオーディオチャネルデータとしてボーカル付きカラオケ演奏データを記録したものについて説明したが、本発明は、３つ以上のオーディオチャネルを記録した光ディスクから１つのオーディオチャネルを選択し、そのオーディオデータを再生出力するように構成したものである。
【００２７】
その例として、第１のオーディオチャネル及び第２のオーディオチャネルとして先の実施例と同様にカラオケ演奏データＡ及びボーカル付きカラオケ演奏データＢを記録し、第３のオーディオチャネルとしてメロディライン付きのカラオケ演奏データＣを記録した光ディスクを再生するシステムについて説明する。メロディライン付きのカラオケ演奏データＣとは、肉声のボーカル音声ではないが、ボーカルパートのメロディラインを肉声以外の音で奏でたものである。
【００２８】
この場合、レベル判定部３２の音声信号レベルのしきい値を２つ以上設定することで対応することができる。２つのしきい値をｐ，ｑ（但しｐ＜ｑ）とすると、例えば、音声入力装置３０の入力スイッチがＯＮで入力音声信号レベルがｑ以上の時はカラオケ演奏データＡを出力し、上記入力スイッチがＯＮで入力音声信号レベルがｐ以上ｑ未満の時はメロディライン付きカラオケ演奏データＣを出力し、上記入力スイッチがＯＮで入力音声信号レベルがｐ未満の時はボーカル付きカラオケ演奏データＢを出力するように構成する。
【００２９】
図２は本発明の参考例のカラオケ再生システムの構成を示すブロック図である。本参考例システムの特徴は、レベル判定部３２とオーディオチャネル選択部２８との間にカウンタ３３を介在された点にある。このカウンタ３３は、レベル判定部３２にて入力音声信号レベルがしきい値未満になったことを示すレベル判定信号を入力した回数をカウントし、一定時間内にそのカウント値が所定の値に達してから、例えば、レベル判定部３２より入力音声信号レベルがしきい値以上になったことを示すレベル判定信号を入力するまでの間はオーディオチャネル選択部２８に対してオーディオデータＢ（ボーカル付きカラオケ演奏データ）の選択を指示する信号を出力し、その他の期間はオーディオデータＡ（カラオケ演奏データ）を選択する信号を出力する。
【００３０】
また、変形例として、一定時間内にカウント値が所定の値に達してから、所定時間が経過するまで、或いは、曲の最後まで、オーディオデータＢを選択し続けるように構成してもよい。
【００３１】
図３は本発明の第２実施例のカラオケ再生システムの構成を示すブロック図である。このシステムにおいて再生の対象となる光ディスク４１には、複数チャネルのオーディオデータとして、前述したカラオケ演奏データＡ、ボーカル付きカラオケ演奏データＢ及びメロディライン付きカラオケ演奏データＣが記録されているものとする。
【００３２】
このシステムは、マイクロフォン等の音声入力装置５０における入力スイッチのＯＮ／ＯＦＦ状態を判別するスイッチＯＮ／ＯＦＦ判別部５１と、上記音声入力装置５０より入力された音声信号のレベルをしきい値と比較して入力音声信号レベルがしきい値以上であるか否かを示す信号を出力するレベル判定部５２と、レベル判定部５２で入力音声レベルがしきい値未満であることが判定された期間と本来ボーカルが挿入される期間との重なり時間を求め、その重なり時間の長さの程度を２つのしきい値を基に判定する時間判定部５３と、スイッチＯＮ／ＯＦＦ判別部５１及び時間判定部５３の出力信号に基づき再生オーディオチャネルを選択するオーディオチャネル選択部４８とを具備して構成される。その他の構成は図１に示した第１実施例と同じである。
【００３３】
次に、このカラオケ再生システムの動作を説明する。
【００３４】
ピックアップ４２によって光ディスク４１から読み取られた信号は同期復調部４３にてデータの同期がとられ復調される。復調データはデータ分離部４４でビデオデータとオーディオデータに分離される。データ分離部４４より分離出力されたビデオデータはビデオデコード部４５にてデコード後、ビデオ出力部４６を通して出力される。一方、データ分離部４４より分離出力された複数チャネル分のオーディオデータ（カラオケ演奏データＡ，ボーカル付きカラオケ演奏データＢ，メロディライン付きカラオケ演奏データＣ）は、オーディオデコード部４７にてそれぞれデコード後、オーディオチャネル選択部４８を介してオーディオミキシング出力部４９に供給され、このミキシングオーディオ出力部４９にて、音声入力装置５０より入力された使用者の音声信号とミキシングして出力される。スイッチＯＮ／ＯＦＦ判別部５１は、音声入力装置５０に設けられた、使用者によって切替可能なＯＮ／ＯＦＦスイッチの状態を判別し、その結果をオーディオチャネル選択部４８に出力する。使用者は、カラオケを楽しむ際に上記ＯＮ／ＯＦＦスイッチをＯＮ状態にして音声入力装置５０より音声を入力する。音声入力装置５０より入力された音声信号は上記オーディオミキシング出力部４９に出力されると共にレベル判定部５２に送られる。レベル判定部５２は、入力音声信号のレベルがしきい値以上であるかどうかを判定し、その結果を時間判定部５３に出力する。時間判定部５３はレベル判定部５２で入力音声信号レベルがしきい値未満であることが判定された期間と本来ボーカル音声が発生すべき期間とが重なる時間を求め、その重なり時間の程度をしきい値を基に次のようにして判定する。
【００３５】
図４はこの時間判定部５３の動作を説明するためのタイミングチャートである。同図において、（ａ）は本来のボーカル音声の発生有無期間、（ｂ）は使用者からの音声入力の有無期間、（ｃ）はレベル判定部５２の出力信号波形であり、入力音声レベルがしきい値未満である時“Ｌ”レベルとなる。
【００３６】
ここで、本来ボーカル音声が発生すべき期間に入力音声信号のレベル不足が判定された場合、時間判定部５３はタイマーを起動してその継続時間（重なり時間）Δｔを計時する。そしてこの継続時間Δｔと２つのしきい値ｔ１  、ｔ２  （但しｔ１  ＜ｔ２  ）とを比較する。この比較の結果、Δｔ＜ｔ１  の場合、時間判定部５３はオーディオチャネル選択部４８に対しカラオケ演奏データＡの選択を指示するための信号を出力する。またｔ１  ＜Δｔ＜ｔ２  の場合、時間判定部５３はオーディオチャネル選択部４８に対しメロディライン付きカラオケ演奏データＣの選択を指示するための信号を出力する。さらにｔ２  ＜Δｔの場合、時間判定部５３はオーディオチャネル選択部４８に対しボーカル付きカラオケ演奏データＢの選択を指示するための信号を出力する。
【００３７】
ボーカル付きカラオケ演奏データＢまたはメロディライン付きカラオケ演奏データＣが選択された場合、所定時間が経過するまで、或いは、曲の最後まで、そのチャネルデータが再生出力される。
【００３８】
なお、本実施例において、本来のボーカル音声の発生有無期間の検出は、例えば、デコード後のカラオケ演奏データＡとボーカル付きカラオケ演奏データＢとを比較してボーカル音声成分に相当する差分が両データ間に発生した期間を検出することによって可能である。
【００３９】
図５は本発明の他の参考例のカラオケ再生システムの構成を示すブロック図である。
【００４０】
このカラオケ再生システムによって再生される光ディスク６１には複数（この例では２つ）のオーディオチャネルデータが記録されており、例えば第１のオーディオチャネルデータは通常のカラオケ演奏データＡであり、第２のオーディオチャネルデータはボーカル音声データ（演奏データなし）Ｂである。
【００４１】
本参考例のカラオケ再生システムは、マイクロフォン等の音声入力装置７０における入力スイッチのＯＮ／ＯＦＦ状態を判別するスイッチＯＮ／ＯＦＦ判別部７１と、上記音声入力装置７０より入力された音声信号のレベルをしきい値と比較して入力音声レベルがしきい値以上であるか否かを示す信号を出力するレベル判定部７２と、スイッチＯＮ／ＯＦＦ判別部７１及びレベル判定部７２の出力信号に基づき第２のオーディオチャネルデータ（ボーカル音声データＢ）の再生出力レベルを制御する音声レベル制御部７３と、音声レベル制御部７３によって再生出力レベルが制御されたボーカル音声データＢとカラオケ演奏データＡとをミキシングするミキシング部７４とを具備して構成されている。その他の構成は図１に示した第１実施例と同じである。
【００４２】
次に、このカラオケ再生システムの動作を説明する。
【００４３】
ピックアップ６２によって光ディスク６１から読み取られた信号は同期復調部６３にてデータの同期がとられ復調される。復調データはデータ分離部６４でビデオデータとオーディオデータに分離される。データ分離部６４より分離出力されたビデオデータはビデオデコード部６５にてデコード後、ビデオ出力部６６を通して出力される。一方、データ分離部６４より分離出力された複数チャネル分のオーディオデータ（カラオケ演奏データＡ，ボーカル音声データＢ）は、オーディオデコード部２７にてそれぞれデコードされる。デコーダ後のカラオケ演奏データＡはミキシング部７４に、デコード後のボーカル音声データＢは音声レベル制御部７３を介してミキシング部７４にそれぞれ供給されミキシングされてオーディオミキシング出力部６９に供給される。そしてこのミキシングオーディオ出力部６９にて、音声入力装置７０より入力された使用者の音声信号とミキシングして出力される。
【００４４】
ここで、音声レベル制御部７３は、スイッチＯＮ／ＯＦＦ判別部７１及びレベル判定部７２の出力信号に基づき第２のオーディオチャネルデータ（ボーカル音声データＢ）の再生出力レベルを制御する動作を次のように行う。
【００４５】
スイッチＯＮ／ＯＦＦ判別部７１によってスイッチＯＦＦ状態が判別された場合、音声レベル制御部７３はボーカル音声データＢの再生出力レベルを１００％に設定し、ミキシング部７４よりカラオケ演奏データＡとボーカル音声データＢのミキシング音声を出力せしめるように制御する。
【００４６】
スイッチＯＮ／ＯＦＦ判別部７１によってスイッチＯＮ状態が判別された場合、音声レベル制御部７３はレベル判定部７２の判定結果に基づき次のように制御を行う。即ち、音声レベル制御部７３は、入力音声信号レベルがしきい値以上である場合にボーカル音声データＢの再生出力レベルを０％に設定し、ミキシング部７４からカラオケ演奏データＡのみを出力せしめるように制御する。また、入力音声信号レベルがしきい値未満である場合、音声レベル制御部７３はボーカル音声データＢの再生出力レベルを５０％に設定し、ミキシング部７４からカラオケ演奏データＡとこのカラオケ演奏より音の大きさが半分のボーカル音声データＢのミキシング音声を出力せしめるように制御する。
【００４８】
また、前記実施例では、光ディスクに第１のオーディオチャネルとして通常のカラオケ演奏データＡを、第２のオーディオチャネルとしてボーカル音声データＢを記録したものについて説明したが、第２のオーディオチャネルとしてコーラスやある楽器のパートのみのデータを記録したものについても同様に適用可能である。
【００４９】
【発明の効果】
以上説明したように本発明の光ディスク再生装置によれば、使用者の歌唱を効果的に補助することができる。
【図面の簡単な説明】
【図１】本発明の第１実施例の光ディスク再生装置としてのカラオケ再生システムの構成を示すブロック図
【図２】本発明の参考例のカラオケ再生システムの構成を示すブロック図
【図３】本発明の第２実施例のカラオケ再生システムの構成を示すブロック図
【図４】図３のシステムにおける時間判定部の動作を説明するためのタイミングチャート
【図５】本発明の他の参考例のカラオケ再生システムの構成を示すブロック図
【図６】従来のカラオケ再生システムの構成を示すブロック図
【符号の説明】
２１，４１，６１…光ディスク、２２，４２，６２…ピックアップ、２３，４３，６３…同期復調部、２４，４４，６４…データ分離部、２５，４５，６５…ビデオデコード部、２６，４６，６６…ビデオ出力部、２７，４７，６７…オーディオデコード部、２８，４８…オーディオチャネル選択部、２９，４９，６９…オーディオミキシング出力部、３０，５０，７０…音声入力装置、３１，５１，７１…スイッチＯＮ／ＯＦＦ判別部、３２，５２，７２…レベル判定部、３３…カウンタ、５３…時間判定部、７３…音声レベル制御部、７４…ミキシング部。
【図１】
0003559326.tif 000002
【図２】
0003559326.tif 000003
【図３】
0003559326.tif 000004
【図４】
0003559326.tif 000005
【図５】
0003559326.tif 000006
【図６】
0003559326.tif 000007